(57)【要約】【課題】  患者や被介護者がナースコール子機によって看護師や介護者を呼出す場合に、患者や被介護者の氏名が廊下灯に表示される時間を出来るだけ短くすることができるようにする。【解決手段】  ナースコール子機１により呼出し操作が行われた場合に、廊下灯２を呼出し状態とし、廊下灯２により復旧ボタン８が操作されたときに、呼出し操作を行った患者の患者情報を廊下灯２の患者情報表示部１３に所定時間表示するようにしているので、看護師が廊下灯２により復旧ボタン８を操作した場合に、患者情報が患者情報表示部１３に所定時間だけ表示され、患者の氏名が表示される時間を短くすることができ、患者のプライバシーの保護を十分に行うことができる。【選択図】        図１
2007117455.tif 000002
【特許請求の範囲】
【請求項１】
発呼者による操作により呼出し信号を出力する呼出し操作部と、前記呼出し操作部により呼出し操作が行われた場合に、呼出し信号を出力する呼出し信号出力部とを備えた子機と、
前記呼出し信号出力部から出力された前記呼出し信号を入力する呼出し信号入力部と、前記呼出し信号入力部が前記呼出し信号を入力した場合に、前記発呼者からの呼出しを示す提示を行う呼出し提示部と、前記呼出し提示部の提示を停止する操作を行う復旧操作部と、前記発呼者の情報を示す発呼者情報を表示する発呼者情報表示部と、前記復旧操作部の操作により前記呼出し提示部の提示が停止した場合に、前記発呼者情報表示部に前記発呼者情報を表示させ、所定時間経過後に前記発呼者情報の表示を停止させる廊下灯表示制御部とを備えた廊下灯と、
を有するナースコールシステム。
【請求項２】
発呼者による操作により呼出し信号を出力する呼出し操作部と、前記呼出し操作部により呼出し操作が行われた場合に、呼出し信号を出力する呼出し信号出力部とを備えた子機と、
前記子機から出力された前記呼出し信号を入力する親機呼出し信号入力部と、前記親機呼出し信号入力部が前記呼出し信号を入力した場合に、前記発呼者からの呼出しを示す提示を行う親機呼出し提示部と、前記発呼者への応答操作を行う応答操作部とを備えた親機と、
前記発呼者の情報を示す発呼者情報を表示する発呼者情報表示部と、前記応答操作部の応答操作により前記発呼者への応答が行われた場合に、前記発呼者情報表示部に前記発呼者情報を表示させ、所定時間経過後に前記発呼者情報の表示を停止させる廊下灯表示制御部とを備えた廊下灯と、
を有するナースコールシステム。
【請求項３】
発呼者による操作により呼出し信号を出力する呼出し操作部と、前記呼出し操作部により呼出し操作が行われた場合に、呼出し信号を出力する呼出し信号出力部とを備えた子機と、
前記呼出し信号出力部から出力された前記呼出し信号を入力する呼出し信号入力部と、前記呼出し信号入力部が前記呼出し信号を入力した場合に、前記発呼者からの呼出しを示す提示を行う呼出し提示部と、前記呼出し提示部の提示を停止する操作を行う復旧操作部と、前記発呼者の情報を示す発呼者情報を表示する発呼者情報表示部と、前記復旧操作部の操作により前記呼出し提示部の提示が停止した場合に、前記発呼者情報表示部に前記発呼者情報を表示させ、所定の操作により前記発呼者情報の表示を停止させる廊下灯表示制御部とを備えた廊下灯と、
を有するナースコールシステム。
【請求項４】
発呼者による操作により呼出し信号を出力する呼出し操作部と、前記呼出し操作部により呼出し操作が行われた場合に、呼出し信号を出力する呼出し信号出力部とを備えた子機と、
前記子機から出力された前記呼出し信号を入力する親機呼出し信号入力部と、前記親機呼出し信号入力部が前記呼出し信号を入力した場合に、前記発呼者からの呼出しを示す提示を行う親機呼出し提示部と、前記発呼者への応答操作を行う応答操作部とを備えた親機と、
前記発呼者の情報を示す発呼者情報を表示する発呼者情報表示部と、前記応答操作部の応答操作により前記発呼者への応答が行われた場合に、前記発呼者情報表示部に前記発呼者情報を表示させ、所定の操作により前記発呼者情報の表示を停止させる廊下灯表示制御部とを備えた廊下灯と、
を有するナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者の近辺（例えば、ベッド近傍など）に設置されたナースコール子機及び看護師や介護者の居る部屋などに設置されたナースコール親機を有線や無線などにより接続している。また、ナースコール子機とナースコール親機との間には廊下灯が接続されている。
【０００３】
ここで、廊下灯は、病室などの部屋の壁面に取り付けられている。また、廊下灯は、病室の番号や患者の氏名などを表示している。また、廊下灯は、ナースコール親機と連動しており、ベッド近傍に設置されたナースコール子機により患者や被介護者が呼出しを行うと、ナースコール子機は、ナースコール親機や看護師や介護者が携帯する無線端末装置に呼出しを通知すると共に、廊下灯を点灯させる。また、看護師や介護者は、廊下灯の点灯によって、呼出しを行った患者や被介護者が居る部屋を特定することができる。
【０００４】
ところで、廊下灯に表示される患者の氏名について、プライバシー保護の観点から改善の要望がある。これに対して、患者や被介護者からの呼出しが行われていない待ち受け状態のときには待ち受け画面を表示し、呼出しが行われたときには患者の氏名などを表示する廊下灯が知られている（例えば、特許文献１など）。
【特許文献１】特開２００４−１０４６９１号公報
【０００５】
しかしながら、この特許文献１に記載の技術では、看護師が廊下灯に対して復旧の操作を行うまで廊下灯に患者の氏名が表示され続けてしまうので、看護師による復旧の操作が遅れると、廊下灯に患者の氏名が表示される時間が長くなり、プライバシーの保護が十分に行われないという問題点があった。ここで、復旧の操作とは、呼出しの状態を元の状態に戻す操作である。
【発明の開示】
【発明が解決しようとする課題】
【０００６】
本発明は、このような問題を解決するために成されたものであり、患者や被介護者がナースコール子機によって看護師や介護者を呼出す場合に、患者や被介護者の氏名が廊下灯に表示される時間を出来るだけ短くすることができるようにすることを目的とする。
【課題を解決するための手段】
【０００７】
上述した課題を解決するために、本発明では、ナースコール子機により呼出し操作が行われた場合に、廊下灯を呼出し状態とし、廊下灯により復旧の操作が行われた場合に、呼出し操作を行った患者の氏名を廊下灯に所定時間表示するようにしている。また、本発明の他の態様によれば、ナースコール子機により呼出し操作が行われた場合に、廊下灯を呼出し状態とし、ナースコール親機により応答の操作が行われた場合に、呼出し操作を行った患者の氏名を廊下灯に所定時間表示するようにしている。
【発明の効果】
【０００８】
上記のように構成した本発明によれば、看護師や介護者が廊下灯に対して復旧の操作を行った場合に、患者や被介護者の氏名が廊下灯に所定時間だけ表示されるので、患者や被介護者の氏名が廊下灯に表示される時間を短くすることができる。従って、患者や被介護者のプライバシーの保護を十分に行うことができる。
【０００９】
また、本発明の他の態様によれば、看護師や介護者がナースコール親機により応答の操作を行った場合に、患者や被介護者の氏名が廊下灯に所定時間だけ表示されるので、患者や被介護者の氏名が廊下灯に表示される時間を短くすることができる。従って、患者や被介護者のプライバシーの保護を十分に行うことができる。
【発明を実施するための最良の形態】
【００１０】
以下、本発明の一実施形態を図面に基づいて説明する。図１は、本実施形態によるナースコールシステムの構成例を示すブロック図である。図１に示すように、本実施形態によるナースコールシステムは、ナースコール子機１、廊下灯２、及び、ナースコール親機３を備えて構成されている。
【００１１】
また、ナースコール子機１は、呼出しボタン４（特許請求の範囲の呼出し操作部に該当する）、子機呼出し信号出力部５（特許請求の範囲の呼出し信号出力部に該当する）を備えて構成されている。また、廊下灯２は、呼出し信号入力部６、呼出し表示部７（特許請求の範囲の呼出し提示部に該当する）、復旧ボタン８（特許請求の範囲の復旧操作部に該当する）、患者情報入力部９、廊下灯患者情報記憶部１０、廊下灯制御部１１、廊下灯表示制御部１２、患者情報表示部１３（特許請求の範囲の発呼者情報表示部に該当する）、廊下灯呼出し信号出力部１４を備えて構成されている。また、ナースコール親機３は、親機呼出し信号入力部１５、親機制御部１６、親機患者情報記憶部１７、患者情報出力部１８、親機表示部制御部１９、表示部２０を備えて構成されている。
【００１２】
図１において、ナースコール子機１は、患者や被介護者（以下、まとめて患者と記載する）が在室する部屋（以下、病室と記載する）内などのベッドなどに取り付けられており、伝送線を介して廊下灯２に接続されている。ここで、複数のナースコール子機１は、一つの廊下灯２に対して識別可能に接続されている。なお、ナースコール子機１と廊下灯２とが１：１で接続されていても良い。
【００１３】
廊下灯２は、各部屋毎に設けられており、伝送線を介してナースコール親機３に接続されている。ここで、複数の廊下灯２は、一つのナースコール親機３に対して識別可能に接続されている。
【００１４】
呼出しボタン４は、患者による操作により呼出し信号を生成する。ここで、呼出しボタン４は、患者の操作により呼出し信号を生成する図示しない呼出し信号生成部を含む。患者は、看護師を呼出したい場合に、呼出しボタン４を押下する。子機呼出し信号出力部５は、呼出しボタン４により生成された呼出し信号を入力し、廊下灯２に出力する。
【００１５】
呼出し信号入力部６は、子機呼出し信号出力部５から出力された呼出し信号を入力し、呼出し表示部７及び廊下灯制御部１２に出力する。呼出し表示部７は、呼出し信号入力部６から出力された呼出し信号を入力すると、呼出しが行われたことを示す表示を行う。ここで、呼出し表示部７は、例えばライトなどにより構成されており、点灯や点滅することにより、呼出しが行われたことを示す表示を行う。
【００１６】
復旧ボタン８は、呼出しが行われたことを示す表示をしている呼出し表示部７の動作を停止して元の状態に復旧させる操作を行うボタンである。患者情報入力部９は、ナースコール親機３から廊下灯２が設置されている病室内の患者情報を入力し、廊下灯制御部１２に出力する。ここで、患者情報としては、少なくとも患者の氏名を含む情報である。
【００１７】
廊下灯患者情報記憶部１０は、患者情報入力部９が入力した患者情報を廊下灯制御部１１を介して入力し、記憶する。なお、患者情報が必要になる度に患者情報入力部９が患者情報をナースコール親機３から入力するようにすれば、廊下灯患者情報記憶部１０は不要となる。
【００１８】
廊下灯制御部１１は、呼出し信号入力部６から呼出し信号を入力すると、廊下灯が呼出し状態になったと判断すると共に、呼出し信号を廊下灯呼出し信号出力部１４に出力する。また、廊下灯２が呼出し状態であると廊下灯制御部１１にて判断した場合に、復旧ボタン８が操作されると、廊下灯制御部１１は、廊下灯患者情報記憶部１０から患者情報を読み出して廊下灯表示制御部１２に出力する。
【００１９】
廊下灯表示制御部１２は、廊下灯制御部１１から出力された患者情報を入力すると、患者情報を示す文字列を患者情報表示部１３に表示させる。ここで、廊下灯表示制御部１２は、所定時間（例えば、数秒などの看護師が患者情報を確認できる程度の短い時間）経過すると患者情報表示部１３の表示を停止させる。なお、本実施形態では、廊下灯表示制御部１２は、所定時間経過後に患者情報表示部１３の表示を停止させているが、これに限定されない。例えば、復旧ボタン８が再度操作された場合に、廊下灯表示制御部１２は、患者情報表示部１３の表示を停止させても良い。
【００２０】
患者情報表示部１３は、患者情報を示す文字列を表示する。ここで、患者情報表示部１３は、液晶パネルなどにより構成されており、患者情報などを文字列として表示したり、非表示としたりすることができる。廊下灯呼出し信号出力部１４は、廊下灯制御部１１から入力した呼出し信号をナースコール親機３に出力する。
【００２１】
親機呼出し信号入力部１５は、廊下灯呼出し信号出力部１４から出力された呼出し信号を入力し、親機制御部１６に出力する。親機制御部１６は、図示しない入力部などにより入力された患者情報を親機患者情報記憶部１７に予め記憶させる。また、親機制御部１６は、親機患者情報記憶部１７に記憶された患者情報を患者情報出力部１８を介して患者情報入力部９に予め出力しておく。また、親機制御部１６は、親機呼出し信号入力部１５から呼出し信号を入力すると、呼出しを行った患者の患者情報を親機患者情報記憶部１７から読み出して、親機表示制御部１９に出力する。
【００２２】
親機患者情報記憶部１７は、図示しない入力部などにより入力された患者情報を記憶する。患者情報出力部１８は、親機制御部１６によって読み出された患者情報を廊下灯２の患者情報入力部９に出力する。親機表示制御部１９は、親機制御部１６から入力した患者情報を文字列として表示部２０に表示させると共に、呼出しが行われたことを示す情報を表示部２０に表示させる。表示部２０は、呼出しを行った患者情報を表示する。なお、呼出しが行われたことを示す情報をスピーカなどによって音声により出力するようにしても良い。
【００２３】
次に、本実施形態によるナースコールシステムの動作及び患者情報表示方法を説明する。図２は、本実施形態によるナースコールシステムの動作及び患者情報表示方法を示すフローチャートである。まず、ナースコール子機１にて、呼出しボタン４が操作されたか否か（呼出し信号が出力されているか否か）を子機呼出し信号出力部５にて調べる（ステップＳ１）。呼出しボタン４が操作されていないと子機呼出し信号出力部５にて判断した場合には（ステップＳ１にてＮＯ）、ステップＳ１の処理を繰り返す。
【００２４】
一方、呼出しボタン４が操作されたと子機呼出し信号出力部５にて判断した場合には（ステップＳ１にてＹＥＳ）、子機呼出し信号出力部５は、呼出し信号を廊下灯２に出力する（ステップＳ２）。
【００２５】
廊下灯２では、呼出し信号入力部６が呼出し信号を入力したか否かを廊下灯制御部１１にて調べる（ステップＳ３）。呼出し信号入力部６が呼出し信号を入力していないと廊下灯制御部１１にて判断した場合には（ステップＳ３にてＮＯ）、ステップＳ３の処理を繰り返す。
【００２６】
一方、呼出し信号入力部６が呼出し信号を入力したと廊下灯制御部１１にて判断した場合には（ステップＳ３にてＹＥＳ）、呼出し表示部７は、呼出し表示を行う（ステップＳ４）。そして、廊下灯制御部１１は、復旧ボタン８が操作されたか否かを調べる（ステップＳ５）。復旧ボタン８が操作されていないと廊下灯制御部１１にて判断した場合には（ステップＳ５にてＮＯ）、ステップＳ５の処理を繰り返す。
【００２７】
一方、復旧ボタン８が操作されたと廊下灯制御部１１にて判断した場合には（ステップＳ５にてＹＥＳ）、廊下灯制御部１１は、廊下灯患者情報記憶部１０から呼出しを行った患者の患者情報を読み出して、廊下灯表示制御部１２に出力する。廊下灯表示制御部１２は、入力した患者情報を文字列として患者情報表示部１３に表示する（ステップＳ６）。
【００２８】
廊下灯表示制御部１２は、所定時間が経過したか否かを調べる（ステップＳ７）。所定時間が経過していないと廊下灯表示制御部１２にて判断した場合には（ステップＳ７にてＮＯ）、ステップＳ７の処理を繰り返す。この間、廊下灯表示制御部１２は、患者情報表示部１３に患者情報を表示し続ける。一方、所定時間が経過したと廊下灯表示制御部１２にて判断した場合には（ステップＳ７にてＹＥＳ）、廊下灯表示制御部１２は、患者情報表示部１３の表示を停止する（ステップＳ８）。
【００２９】
以上詳しく説明したように、本実施形態によれば、ナースコール子機１により呼出し操作が行われた場合に、廊下灯２を呼出し状態とし、廊下灯２により復旧ボタン８が操作されたときに、呼出し操作を行った患者の患者情報を廊下灯２の患者情報表示部１３に所定時間表示するようにしている。これにより、看護師が廊下灯２により復旧ボタン８を操作した場合に、患者情報が患者情報表示部１３に所定時間だけ表示されるので、患者の氏名が表示される時間を短くすることができる。従って、患者のプライバシーの保護を十分に行うことができる。
【００３０】
なお、前述した実施形態では、廊下灯２の復旧ボタン８が操作された場合に、患者情報表示部１３に患者情報を表示するようにしているが、これに限定されない。例えば、ナースコール子機による呼出しに対して、ナースコール親機にて応答した場合に、患者情報表示部に患者情報を表示するようにしても良い。
【００３１】
具体的には、図３に示すように、廊下灯２１及びナースコール親機２２を構成する。図３において、２３は、廊下灯制御部であり、呼出し信号入力部６より呼出し信号を入力し、廊下灯呼出し信号出力部１４に呼出し信号を出力する。２４は、情報入力部であり、後述する情報出力部２７より、患者情報及び応答信号を入力する。２５は、応答ボタンであり、ナースコール子機１からの呼出しに看護師などが応答する際に操作するボタンである。
【００３２】
２６は、親機制御部であり、親機患者情報記憶部１７から患者情報を読み出して情報出力部２７を介して患者情報を廊下灯２１に予め出力しておく。また、親機制御部２６は、親機呼出し信号入力部１５から呼出し信号を入力すると、呼出しを行った患者の患者情報を患者情報出力部１７から読み出して、親機表示制御部１９に出力する。親機表示制御部１９は、呼出しを行った患者の患者情報及び呼出しが行われたことを表示部２０（特許請求の範囲の親機呼出し提示部に該当する）に表示する。また、親機制御部２６は、応答ボタン２５が操作された場合に、応答信号を生成して情報出力部２７に出力する。情報出力部２７は、親機制御部２６によって読み出された患者情報を廊下灯２１の情報入力部２４に出力する。また、情報出力部２７は、親機制御部２６によって生成された応答信号を情報入力部２４に出力する。
【００３３】
廊下灯２１では、情報入力部２４がナースコール親機２２から応答信号を入力すると、廊下灯制御部２３は、廊下灯患者情報記憶部１０から患者情報を読み出して廊下灯表示制御部１２に出力する。廊下灯表示制御部１２は、廊下灯制御部２３から出力された患者情報を入力すると、患者情報を示す文字列を患者情報表示部１３に表示させる。ここで、廊下灯表示制御部１２は、所定時間（例えば、数秒などの看護師が患者情報を確認できる程度の短い時間）経過したり、図示しない復旧ボタンが操作されたりすると、患者情報表示部１３の表示を停止させる。
【００３４】
図４は、本実施形態によるナースコールシステムの変形例の動作及び患者情報表示方法を示すフローチャートである。まず、ナースコール子機１にて、呼出しボタン４が操作されたか否か（呼出し信号が出力されているか否か）を子機呼出し信号出力部５にて調べる（ステップＳ１１）。呼出しボタン４が操作されていないと子機呼出し信号出力部５にて判断した場合には（ステップＳ１１にてＮＯ）、ステップＳ１１の処理を繰り返す。
【００３５】
一方、呼出しボタン４が操作されたと子機呼出し信号出力部５にて判断した場合には（ステップＳ１１にてＹＥＳ）、子機呼出し信号出力部５は、呼出し信号を廊下灯２１に出力する（ステップＳ１２）。
【００３６】
廊下灯２１では、呼出し信号入力部６が呼出し信号を入力したか否かを廊下灯制御部２３にて調べる（ステップＳ１３）。呼出し信号入力部６が呼出し信号を入力していないと廊下灯制御部２３にて判断した場合には（ステップＳ１３にてＮＯ）、ステップＳ１３の処理を繰り返す。
【００３７】
一方、呼出し信号入力部６が呼出し信号を入力したと廊下灯制御部２３にて判断した場合には（ステップＳ１３にてＹＥＳ）、廊下灯制御部２３は、廊下灯呼出し信号出力部１４を制御して呼出し信号をナースコール親機２２に出力する（ステップＳ１４）。また、呼出し表示部７は、呼出し表示を行う（ステップＳ１５）。
【００３８】
ナースコール親機２２では、親機呼出し信号入力部１５が呼出し信号を入力したか否かを親機制御部２６にて調べる（ステップＳ１６）。親機呼出し信号入力部１５が呼出し信号を入力していないと親機制御部２６にて判断した場合には（ステップＳ１６にてＮＯ）、ステップＳ１６の処理を繰り返す。
【００３９】
一方、親機呼出し信号入力部１５が呼出し信号を入力したと親機制御部２６が判断した場合には（ステップＳ１６にてＹＥＳ）、親機制御部２６は、患者情報を患者情報出力部１７から読み出して、親機表示制御部１９に出力し、親機表示制御部１９は、患者情報を文字列として表示部２０に表示する。
【００４０】
そして、応答ボタン２５が操作されたか否かを親機制御部２６にて調べる（ステップＳ１８）。応答ボタン２５が操作されていないと親機制御部２６にて判断した場合には（ステップＳ１８にてＮＯ）、ステップＳ１８の処理を繰り返す。一方、応答ボタン２５が操作されたと親機制御部２６にて判断した場合には（ステップＳ１８にてＹＥＳ）、親機制御部２６は、応答信号を生成して情報出力部２７から廊下灯２１に出力する（ステップＳ１９）。
【００４１】
廊下灯２１では、情報入力部２４が応答信号を入力したか否かを廊下灯制御部２３にて調べる（ステップＳ２０）。情報入力部２４が応答信号を入力していないと廊下灯制御部２３にて判断した場合には（ステップＳ２０にてＮＯ）、ステップＳ２０の処理を繰り返す。一方、情報入力部２４が応答信号を入力したと廊下灯制御部２３にて判断した場合には（ステップＳ２０にてＹＥＳ）、廊下灯制御部２３は、廊下灯患者情報記憶部１０から呼出しを行った患者の患者情報を読み出して、廊下灯表示制御部１２に出力する。廊下灯表示制御部１２は、入力した患者情報を文字列として患者情報表示部１３に表示する（ステップＳ２１）。
【００４２】
廊下灯表示制御部１２は、所定時間が経過したか否かを調べる（ステップＳ２２）。所定時間が経過していないと廊下灯表示制御部１２にて判断した場合には（ステップＳ２２にてＮＯ）、ステップＳ２２の処理を繰り返す。この間、廊下灯表示制御部１２は、患者情報表示部１３に患者情報を表示し続ける。一方、所定時間が経過したと廊下灯表示制御部１２にて判断した場合には（ステップＳ２２にてＹＥＳ）、廊下灯表示制御部１２は、患者情報表示部１３の表示を停止する（ステップＳ２３）。
【００４３】
これにより、看護師がナースコール親機２２により応答ボタン２５を操作した場合に、患者情報が患者情報表示部１３に所定時間表示されるので、患者の氏名が表示される時間を短くすることができる。また、応答ボタン２５を備えたナースコール親機２２は、主にナースステーションなどの看護師が居る場所に設置されているので、看護師以外の人間が応答ボタン２５を操作して患者の氏名を表示させることが困難となる。従って、患者のプライバシーの保護を更に強化することができる。
【００４４】
また、前述した実施形態では、ナースコール子機１の呼出しボタン４が操作されて、廊下灯２が呼出し状態である場合に、廊下灯２の復旧ボタン８が操作されたときに、患者情報表示部１３に患者情報を表示するようにしているが、これに限定されない。例えば、ナースコール子機１の呼出しボタン４が操作されていない場合でも、廊下灯２の復旧ボタン８が操作されたときに、患者情報表示部１３に患者情報を表示するようにしても良い。これにより、看護師は、廊下灯２にて何時でも患者情報を確認することができる。
【００４５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４６】
本発明は、病院や介護施設などで患者や被介護者からの要求に応じて看護師や介護者を呼び出すナースコールシステムに有用である。
【図面の簡単な説明】
【００４７】
【図１】本実施形態によるナースコールシステムの構成例を示すブロック図である。
【図２】本実施形態によるナースコールシステムの動作及び患者情報表示方法を示すフローチャートである。
【図３】本実施形態によるナースコールシステムの変形例を示すブロック図である。
【図４】本実施形態によるナースコールシステムの変形例の動作及び患者情報表示方法を示すフローチャートである。
【符号の説明】
【００４８】
１    ナースコール子機
２，２１    廊下灯
３，２２    ナースコール親機
４    呼出しボタン
５    子機呼出し信号出力部
６    呼出し信号入力部
７    呼出し表示部
８    復旧ボタン
９    患者情報入力部
１０    廊下灯患者情報記憶部
１１，２３    廊下灯制御部
１２    廊下灯表示制御部
１３    患者情報表示部
１４    廊下灯呼出し信号出力部
１５    親機呼出し信号入力部
１６，２６    親機制御部
１７    親機患者情報記憶部
１８    患者情報出力部
１９    親機表示制御部
２０    表示部
２４    情報入力部
２５    応答ボタン
２７    情報出力部
【図１】
2007117455.tif 000003
【図２】
2007117455.tif 000004
【図３】
2007117455.tif 000005
【図４】
2007117455.tif 000006